(57)【特許請求の範囲】
【請求項１】
内胴の円筒板の前後端に固定され、かつ、主軸が中心を貫通している前面板と後面板の同一位置に、円周上一定の間隔をもって複数個の開口部を設け、前記円筒板と前記主軸との間に円周上一定の間隔をもって軸方向に延びた複数個の仕切板を設け、前記前面板の前記開口部と前記後面板の前記開口部との間に、前記円筒板の内面の軸方向に一定間隔をもって複数、内側に向かって突設された外側支持部材と前記仕切板の外面の軸方向に一定間隔をもって複数、外側に向かって突設された内側支持部材との間に固定され中心位置が前記開口部の中心位置と一致している、多数の孔が形成され、両端開口の長方形筒であるマットレス収納部を設けるとともに、前記前面板と前記後面板の同一位置に、前記開口部の左右外側の前記前面板・前記後面板に設けられたストッパーガイドと、該ストッパーガイドを移動するストッパー本体と、該ストッパー本体の下端部と接触し、前記開口部の下側の前記前面板・前記後面板に設けられたラッチ機構と、前記ストッパー本体の上端部と接触し、前記開口部の上側の前記前面板・前記後面板に設けられたストッパー保持部材と、前記ストッパー本体の上端部と接触して該ストッパー本体を移動させる、外胴に設けられたシリンダとからなる、前記開口部を一部閉鎖するストッパー手段を設けたマットレス洗浄機
【請求項２】
内胴の円筒板の前端に固定され、かつ、主軸が中心を貫通している前面板に、円周上一定の間隔をもって複数個の開口部を設け、前記円筒板と前記主軸との間に円周上一定の間隔をもって軸方向に延びた複数個の仕切板を設け、前記前面板の前記開口部と前記後面板との間に、前記円筒板の内面の軸方向に一定間隔をもって複数、内側に向かって突設された外側支持部材と前記仕切板の外面の軸方向に一定間隔をもって複数、外側に向かって突設された内側支持部材との間に固定され中心位置が前記開口部の中心位置と一致している、多数の孔が形成され、両端開口の長方形筒であるマットレス収納部を設けたとともに、前記前面板に、前記開口部の左右外側の前記前面板に設けられたストッパーガイドと、該ストッパーガイドを移動するストッパー本体と、該ストッパー本体の下端部と接触し、前記開口部の下側の前記前面板に設けられたラッチ機構と、前記ストッパー本体の上端部と接触し、前記開口部の上側の前記前面板に設けられたストッパー保持部材と、前記ストッパー本体の上端部と接触して該ストッパー本体を移動させる、外胴に設けられたシリンダとからなる、前記開口部を一部閉鎖するストッパー手段を設けたマットレス洗浄機
【請求項３】
開口部の数は、３個で、円周上１２０°の角度をもって配置されている請求項１又は請求項２記載のマットレス洗浄機
【請求項４】
マットレス収納部は、上下２段に構成され、かつ、各段の上下部材に溝部が併設されている請求項１乃至請求項３記載のマットレス洗浄機
【発明の詳細な説明】
【０００１】
【発明の属する技術分野】
この発明は、マットレス洗浄機に関するものである。
【０００２】
【従来の技術】
マットレス洗浄機の内胴構造として、特開平６−１１４１８１号に記載されているものがある。すなわち、図６に示すように、回転円筒３の内側にはその軸方向に延びる畝状の突起１０が突設されており、その突起１０の両側面にマットレス１１の長手端面と衝突する当接面７、８、９が形成されており、この当接面７、８、９にマットレス１１を当接させてマットレス１１を回転円筒３の内面に沿って定置するものである。また、突起１０の側面を階段状とし、マットレス１１を複数枚積層した状態で回転円筒３の内周に定置するものである。さらに、長手端面を突起１０の当接面７、８、９に当接させた状態で回転円筒３に嵌め込まれたマットレス１１の内周に嵌装する弾性リング１２を備えたものである。なお、図６において、１は液密構造の外胴、２は外胴１に水平に軸支され、回転円筒３が固定されている回転軸、６は洗濯液である。
【０００３】
【発明が解決しようとする課題】
この従来技術においては、マットレス１１が回転円筒３と弾性リング１２との間に複数、円弧状に直接、積層されて定置されるので、マットレス１１の押し込み、取り外しは容易ではなく、また、マットレス１１が直接、積層されて密着しているので、洗濯液６の浸透が悪く、汚れ落ちが悪いという課題がある。
【０００４】
この発明は、このような従来技術の課題を解決する目的でなされたものである。
【０００５】
【課題を解決するための手段】
上記課題を解決するための手段を、実施の１形態に対応する図１、２、３、４、５を用いて以下、説明する。この発明は、内胴の円筒板１の前後端に固定され、かつ、主軸２が中心を貫通している前面板３と後面板４の同一位置に、円周上一定の間隔をもって複数個の開口部５を設け、円筒板１と主軸２との間に円周上一定の間隔をもって軸方向に延びた複数個の仕切板６を設け、前面板３の開口部と後面板４の開口部５との間に、円筒板１の内面の軸方向に一定間隔をもって複数、内側に向かって突設された外側支持部材７と仕切板６の外面の軸方向に一定間隔をもって複数、外側に向かって突設された内側支持部材８との間に固定され中心位置が開口部５の中心位置と一致している、多数の孔が形成され、両端開口の長方形筒であるマットレス収納部９を設けるとともに、前面板３と後面板４の同一位置に、開口部５の左右外側の前面板３・後面板４に設けられたストッパーガイド１１と、ストッパーガイド１１を移動するストッパー本体１２と、ストッパー本体１２の下端部１２Ａと接触し、開口部５の下側の前面板３・後面板４に設けられたラッチ機構１３と、ストッパー本体１２の上端部１２Ｂと接触し、開口部５の上側の前面板３・後面板４に設けられたストッパー保持部材１４と、ストッパー本体１２の上端部１２Ｂと接触してストッパー本体１２を移動させる、外胴１５Ａに設けられたシリンダ１５とからなる、開口部５を一部閉鎖するストッパー手段１０を設けたものである。
【０００６】
このように構成されたものにおいては、マットレスは、曲げられることなくそのままの形状でマットレス収納部９に収納される。また、マットレスは、重ねられても、間隔を保ち、密着することはない。さらに、マットレスは、内胴の回転に伴い、開口部５から飛び出すことはない。
【０００７】
【発明の実施の形態】
図１、２、３、４、５は、この発明の実施の１形態を示す図である。図１、２、３、４、５において、１は円筒板、２は主軸、３は前面板、４は後面板、５は開口部、６は仕切板、７は外側支持部材、８は内側支持部材、９はマットレス収納部、１０はストッパー手段である。
【０００８】
内胴は、円筒板１と、円筒板１の前後端に固定された前面板３、後面板４と、前面板３と後面板４の中心を貫通している主軸２とから構成されている。
【０００９】
開口部５は、前面板３と後面板４の同一位置に、円周上一定の間隔をもって複数個、例えば、円周上１２０°の角度をもって３個、設けられている。
【００１０】
仕切板６は、円筒板１と主軸２との間に円周上一定の間隔、例えば１２０°の角度をもって軸方向（主軸２方向）に延びた複数、例えば３個、設けられている。外側支持部材７は、円筒板１の内面の軸方向に一定間隔をもって複数、内側に向かって突設され、内側支持部材８は、仕切板６の外面の軸方向に一定間隔をもって複数、外側に向かって突設されている。
【００１１】
マットレス収納部９は、外側支持部材７と内側支持部材８との間に３個、固定されて、前面板３の開口部５と後面板４の開口部５との間に設けられ、その中心位置が開口部５の中心位置と一致している。マットレス収納部９は、両端開口の長方形筒であって、その中には図示しないマットレスが押込、収納される。マットレス収納部９は、マットレスの大きさに応じて大きさが定められている。マットレス収納部９がマットレスの大きさに応じた長方形筒であるから、マットレスは、曲げられることなくそのままの形状でマットレス収納部９に収納される。したがって、マットレスの押し込み、取り外しは容易である。
【００１２】
マットレス収納部９には、収納されたマットレスに洗濯液が容易に浸透するように、図示しない多数の孔が形成されている。マットレス収納部９は、マットレスの収納数を多くするために上下２段に構成される。この場合、各段の上下部材９Ａ、９Ｂには溝部９Ｃが併設されている。上下部材９Ａ、９Ｂの溝部９Ｃによって、マットレスを上下に収納しても、マットレスは直接、接触せず、マットレスの押し込み、取り外しは容易である。また、洗濯液は、溝部９Ｃを通ってマットレスの内部に供給される。したがって、洗濯液の浸透は良くなり、汚れ落ちが良くなる。
【００１３】
ストッパー手段１０は、開口部５からマットレスが飛び出すのを防止するために、開口部５を一部閉鎖するもので、前面板３と後面板４の同一位置に設けられている。ストッパー手段１０は、開口部５の左右外側の前面板３（または後面板４）に設けられたストッパーガイド１１と、ストッパーガイド１１を移動するストッパー本体１２と、ストッパー本体１２の下端部１２Ａと接触する、開口部５の下側の前面板３（または後面板４）に設けられたラッチ機構１３と、ストッパー本体１２の上端部１２Ｂと接触する、開口部５の上側の前面板３（または後面板４）に設けられたストッパー保持部材１４と、ストッパー本体１２の上端部１２Ｂと接触してストッパー本体１２を移動させる、外胴１５Ａに設けられたシリンダ１５とからなるものである。
【００１４】
ラッチ機構１３は、図４に示すように、ラッチシム１３Ａを介して前面板３に固定されたラッチボディ１３Ｂと、ストッパー本体１２の下端部１２Ａと接触するとともに、ラッチボディ１３Ｂの内部に挿入されたプランジャー１３Ｃと、ラッチボディ１３Ｂの内部に挿入されたラッチプレート１３Ｄに装着されているとともに、プランジャー１３Ｃと圧接しているラッチスプリング１３Ｅとからものである。
【００１５】
外胴１５Ａに設けられたシリンダ１５は、図５に示すように、外胴１５Ａに取り付けられたシリンダブラケット１５Ｂと、シリンダブラケット１５Ｂに取り付けられたシリンダ本体１５Ｃと、シリンダ本体１５Ｃと接続されてストッパー本体１２の上端部１２Ｂと接触する先端金具１５Ｄとからなる。
【００１６】
ストッパー手段１０の動作について説明すると、マットレスを内胴に押し込む時以外は、シリンダ本体１５Ｃは作動していない。このため、先端金具１５Ｄはストッパー本体１２の上端部１２Ｂに接触していない。このとき、ラッチスプリング１３Ｅは伸長していて、ストッパー本体１２は押し上げられ、ストッパー保持部材１４によって保持されている。開口部５は、ストッパー本体１２の中間部１２Ｃと下端部１２Ａにより、一部閉鎖されている。
【００１７】
マットレスを内胴に押し込む時は、前面板３側のシリンダ本体１５Ｃを作動させる。先端金具１５Ｄは移動し、ストッパー本体１２の上端部１２Ｂを下方に押す。ストッパー本体１２は押し下げられ、前面板３側の開口部５の一部閉鎖は解除される。この状態で、マットレスを内胴の前面から内胴に押し込み、マットレス収納部９に収納する。収納後は、シリンダ本体１５Ｃを復帰させる。そうすると、ラッチスプリング１３Ｅの伸長によって、開口部５の一部閉鎖は回復する。この状態で、内胴を回転させて、マットレスの洗濯を行う。この場合、開口部５が一部閉鎖されているので、マットレスは、内胴の回転に伴い、内胴から飛び出すことはない。洗濯終了後は、後面板４側のシリンダ本体１５Ｃを作動させ、後面板４側の開口部５の一部閉鎖を解除し、マットレスを後面板４から取り出す。後面板４に開口部５が設けられ、マットレス収納部９の後端が開口しているため、外胴の構造によっては、マットレスの押し込み、取り外しの連続が可能になる。
【００１８】
以上は、マットレスを前面板３から内胴に押し込み、洗濯した後、後面板４から取り出す場合であるから、後面板４に開口部５およびストッパー手段１０を設けているが、機械の構造上、前面板３からだけ、マットレスを押し込み、取り出すならば、後面板４に開口部５およびストッパー手段１０を設ける必要はない。汎用性を持たせるために、後面板４に開口部５と、外胴１５Ａに設けられたシリンダ１５を除いたストッパー手段１０を設け、ストッパー本体１２によって常時、開口部５を一部閉鎖においてもよい。
【００１９】
【発明の効果】
以上説明してきたように、この発明は、内胴の円筒板の前後端に固定され、かつ、主軸が中心を貫通している前面板と後面板の同一位置に、円周上一定の間隔をもって複数個の開口部を設け、前記円筒板と前記主軸との間に円周上一定の間隔をもって軸方向に延びた複数個の仕切板を設け、前記前面板の前記開口部と前記後面板の前記開口部との間に、前記円筒板の内面の軸方向に一定間隔をもって複数、内側に向かって突設された外側支持部材と前記仕切板の外面の軸方向に一定間隔をもって複数、外側に向かって突設された内側支持部材との間に固定され中心位置が前記開口部の中心位置と一致している、多数の孔が形成され、両端開口の長方形筒であるマットレス収納部を設けるとともに、前記前面板と前記後面板の同一位置に、前記開口部の左右外側の前記前面板・前記後面板に設けられたストッパーガイドと、該ストッパーガイドを移動するストッパー本体と、該ストッパー本体の下端部と接触し、前記開口部の下側の前記前面板・前記後面板に設けられたラッチ機構と、前記ストッパー本体の上端部と接触し、前記開口部の上側の前記前面板・前記後面板に設けられたストッパー保持部材と、前記ストッパー本体の上端部と接触して該ストッパー本体を移動させる、外胴に設けられたシリンダとからなる、前記開口部を一部閉鎖するストッパー手段を設けたものである。それゆえ、マットレスは、曲げられることなくそのままの形状でマットレス収納部に収納され、重ねられても、間隔を保ち、密着することはない。したがって、この発明によれば、マットレスの押し込み、取り外しは容易であり、洗濯液の浸透がよく、マットレスの汚れ落ちが良いという効果が得られる。
【図面の簡単な説明】
【図１】この発明の実施の１形態を示す正面図である。
【図２】この発明の実施の１形態を示す側面半断面図である。
【図３】図２のＡ−Ａ断面図である。
【図４】図１のＢ部の詳細図で、（Ａ）は正面図、（Ｂ）は側面図である。
【図５】この発明を構成するストッパー手段の一部を示す図である。
【図６】従来技術を示す図で、（Ａ）は正面断面図、（Ｂ）は洗浄機の側面断面図である。
【符号の説明】
１  円筒板
２  主軸
３  前面板
４  後面板
５  開口部
６  仕切板
７  外側支持部材
８  内側支持部材
９  マットレス収納部
【図１】
0003562542.tif 000002
【図２】
0003562542.tif 000003
【図３】
0003562542.tif 000004
【図４】
0003562542.tif 000005
【図５】
0003562542.tif 000006
【図６】
0003562542.tif 000007